(57)【要約】【課題】ビーチサンダルなど鼻緒のあるサンダルに、装飾を施した飾り片を着脱自在に設けることにより、美観に優れた飽きのこないサンダルを提供する。【解決手段】足を載せるための台座部５と、この台座部に取り付けられた可撓性を有する鼻緒２とを備え、かつ上記鼻緒２の上面に、当該鼻緒２と一体化されてその上面を覆う飾り片１を、取付部材４を介して着脱自在に設けたことを特徴とするサンダル。【選択図】図１
0003142493.tif 000002
【実用新案登録請求の範囲】
【請求項１】
足を載せるための台座部と、この台座部に取り付けられた可撓性を有する鼻緒とを備え、かつ上記鼻緒の上面に、当該鼻緒と一体化されてその上面を覆う飾り片を、取付部材を介して着脱自在に設けたことを特徴とするサンダル。
【請求項２】
上記取付部材は、一対の面ファスナであり、上記鼻緒の上面には、上記面ファスナの一方のファスナ片が設けられているとともに、上記飾り片の対向面には、上記面ファスナの他方のファスナ片が設けられていることを特徴とする請求項１に記載のサンダル。
【請求項３】
上記鼻緒は、布製の材料で形成されていることを特徴とする請求項１または請求項２に記載のサンダル。
【請求項４】
上記飾り片は、上記鼻緒の全面を覆う大きさに一体に形成されていることを特徴とする請求項１〜３のいずれか１項に記載のサンダル。
【請求項５】
上記飾り片は、上面に装飾が施されていることを特徴とする請求項１〜４のいずれか１項に記載のサンダル。
【請求項６】
上記飾り片は、Ｖ字状であり、Ｖ字を構成する２辺の長さが等しいことを特徴とする請求項１〜５のいずれか１項に記載のサンダル。
【考案の詳細な説明】
【技術分野】
【０００１】
本考案は、鼻緒に、装飾が施された飾り片を着脱自在に取り付けることのできるサンダルに関するものである。
【背景技術】
【０００２】
一般的に、ビーチサンダルなどの鼻緒が取り付けられたサンダルは、美観や購買意欲を高めるために、鼻緒の上面に装飾が施されているものが多い。しかし、この装飾は、購買側の意思とは関係なく、制作の段階で製造者が決めるもので、サンダルと一体的に構成されている。そのため、購買する側は、自分の好みにあった装飾のサンダルを選んで購入することになる。
【考案の開示】
【考案が解決しようとする課題】
【０００３】
ところが、ビーチサンダルなど、主に夏に履くことの多いサンダルは、ひとシーズンが過ぎ、翌年の夏になると、その時の流行や嗜好の変化などで、まだ履くことのできるサンダルであっても、古いサンダルを廃棄して、新しいサンダルを買い換える人が多く、無駄な出費やサンダルを廃棄することにより、余計なゴミを出すなど環境への悪影響も懸念される。また、好みの装飾が何種類もあった時には、同じサンダルの異なる装飾が施されているものを何種類も購入することになり、不経済であるという問題点もある。
【０００４】
本考案は、ビーチサンダルなど鼻緒のあるサンダルに、装飾を施した飾り片を着脱自在に設けることにより、美観に優れた飽きのこないサンダルを提供することを課題とする。
【課題を解決するための手段】
【０００５】
上記課題を解決するために、請求項１に記載の本考案は、足を載せるための台座部と、この台座部に取り付けられた可撓性を有する鼻緒とを備え、かつ上記鼻緒の上面に、当該鼻緒と一体化されてその上面を覆う飾り片を、取付部材を介して着脱自在に設けたことを特徴とするものである。
【０００６】
また、請求項２に記載の本考案は、請求項１に記載のサンダルにおいて、上記取付部材が、一対の面ファスナであり、上記鼻緒の上面には、上記面ファスナの一方のファスナ片が設けられているとともに、上記飾り片の対向面には、上記面ファスナの他方のファスナ片が設けられていることを特徴とするものである。
【０００７】
さらに、請求項３に記載の本考案は、請求項１または請求項２に記載のサンダルにおいて、上記鼻緒が、布製の材料で形成されていることを特徴とするものである。
【０００８】
そして、請求項４に記載の本考案は、請求項１〜３のいずれか１項に記載のサンダルにおいて、上記飾り片が、上記鼻緒の全面を覆う大きさに一体に形成されていることを特徴とするものである。
【０００９】
また、請求項５に記載の本考案は、請求項１〜４のいずれか１項に記載のサンダルにおいて、上記飾り片の上面に装飾が施されていることを特徴とするものである。
【００１０】
そして、請求項６に記載の本考案は、請求項１〜５のいずれか１項に記載のサンダルにおいて、上記飾り片が、Ｖ字状であり、Ｖ字を構成する２辺の長さが等しいことを特徴とするものである。
【考案の効果】
【００１１】
請求項１に記載の本考案によれば、上記サンダルは、上記飾り片を上記取付部材を介して着脱自在に設けることにより、自分の好みに合わせて、自由に上記飾り片を取り替えることができ、飽きのこないサンダルを提供することができる。そのため、一度購入したサンダルを長期に渡って使用することができるため、とても経済的である。また、可撓性を有する上記鼻緒の上面に、当該鼻緒と一体化されて、その上面を覆う上記飾り片を設けることによって、可撓性のある上記鼻緒の強度を増すことができるため、上記鼻緒自体の損傷を防ぐとともに、足の甲を保護することもできる。
【００１２】
請求項２に記載の本考案によれば、上記取付部材は、一対の面ファスナで構成されて、上記鼻緒の上面には、上記一方のファスナ片が設けられ、また上記飾り片の対向面には、上記他方のファスナ片が設けられているため、片手でも簡単に着脱が行えるとともに、激しい動作においても上記飾り片が、上記鼻緒から外れたり、ズレたりすることを防止することができる。
【００１３】
請求項３に記載の本考案によれば、上記鼻緒は、布製の材料で形成されていることにより、上記鼻緒に可撓性を持たせることができる。それにより、素足で使用されることの多いビーチサンダルなどは、足の動きに対応して収縮が行われるため、履き心地が良く、長時間使用した場合にも足の痛みを防止することができる。さらに、上記鼻緒の上面に、上記飾り片を取り付けることにより、上記鼻緒を可撓性のある材料で形成しても、十分な強度を得ることができる。
【００１４】
請求項４に記載の本考案によれば、上記飾り片は、上記鼻緒の上面を覆う大きさに一体に形成されていることによって、可撓性を有する上記鼻緒の強度を増すことができるとともに、上記飾り片を上記鼻緒に取り付け、または取り外しを行う際には、上記飾り片が一体に形成されていることにより、簡便に着脱を行うことができる。
【００１５】
請求項５に記載の本考案によれば、上記飾り片は、その上面に装飾が施されていることによって、美観の優れたサンダルを提供することができるとともに、より多くの人のニーズに応えた飾り片を提供することができる。それにより、一足のサンダルで何通りもの装飾を楽しむことができる。
【００１６】
請求項６に記載の本考案によれば、上記飾り片をＶ字状に形成して、このＶ字を構成する２辺の長さを等しくすることによって、上記飾り片を上記鼻緒の上面に取り付ける際には、左右どちらのサンダルにも取り付けることができる。そのため、例えば複数の上記飾り片を購入した場合には、左右のサンダルに異なる飾り片を取り付けるなど、何通りかの組合せを自由に行うことができる。また、上記飾り片を製造する際には、左右のサンダルを考慮することなく、製造することができるのため、製造コストも抑えることができる。
【考案を実施するための最良の形態】
【００１７】
図１〜３は、本考案のサンダルの一実施形態を示すものである。
このサンダル６は、足を載せるための台座部５と、この台座部５に設けられている鼻緒２から構成され、この鼻緒２の上面には、取付部材４を介して飾り片１が着脱自在に設けられている構造のものである。
【００１８】
図２に示すように、鼻緒２は、足の甲の一部を覆うＶ字形をなす布製の帯体に、母趾と第二趾の間に挟まる布製の帯体が、Ｖ字形に形成された帯体の先端に設けられて構成される。そして、このＶ字形に形成された帯体の上面には、取付部材４の面ファスナ３の一方のファスナ片３ａが、全面に形成される。
【００１９】
一方台座部５は、図２に示すように、足全体が載る大きさに形成されるとともに、硬さの異なる発泡樹脂などの軟質材が、２層に重ね合わせて形成される。そして、足の裏面が接する層には、柔らかい軟質材が用いられるとともに、地面に接する層には、硬い軟質材を用いて形成されている。さらに、足の裏面が接する上面の層には、鼻緒２のＶ字形をなす帯体のＶ字を形成する２辺のそれぞれの端部が挿通するための孔が、台座部５の中心部より踵側の長手方向の対向する位置に穿設されているとともに、鼻緒２の拇趾と第二趾の間に挟まる帯体の端部が挿通するための孔が、台座部５の爪先側の拇趾と第二趾の間の位置に穿設されている。
【００２０】
そして、台座部５の足の裏面が接する上面の層には、鼻緒２の拇趾と第二趾の間に挟まる帯体の端部が、爪先側の拇趾と第二趾の間の位置に穿設された孔に挿通されて取り付けられるとともに、Ｖ字形に形成されている帯体のＶ字を形成する２辺のそれぞれの端部が、中心部より踵側の長手方向の対向する位置に穿設された孔に挿通されて取り付けられている。さらに、台座部５は、鼻緒２が取り付けられた足の裏面が接する上面の層と、地面が接する下面の層とを重ね合わさせて、接着剤などにより固着して一体に形成されている。
【００２１】
図３に示すように、飾り片１は、Ｖ字形からなり、このＶ字に構成された２辺が、同じ長さにより形成される。また、飾り片１の一方の面には、絵柄やアクセントなどの装飾が施されているとともに、他方の面には、取付部材４の面ファスナ３の他方のファスナ片３ｂが、全面に形成されている。
【００２２】
そして、図２に示すように飾り片１は、鼻緒２の上面に、取付部材４の面ファスナ３を介して着脱自在に取り付けられる。
【００２３】
以上の構成からなるサンダル６を、図１に示すように、飾り片１を取り付けて使用するためには、図２に示すように、鼻緒２の上面に設けられている面ファスナ３の一方のファスナ片３ａに、飾り片１の対向面に設けられている他方のファスナ片３ｂを重ね合わせて取り付ける。
【００２４】
また、飾り片１を別の飾り片と交換するには、一対の面ファスナ３により係止されている鼻緒２の上面に取り付けられている飾り片１を剥がし取り、別の飾り片１を重ね合わせて取り付ける。
【００２５】
上述の実施形態のサンダル６によれば、飾り片１は、取付部材４を介することによって、着脱自在に設けられている。それにより、自分の好みに合わせて、自由に飾り片１を取り替えることができるため、飽きのこないサンダル６を提供することができる。さらに、一度購入したサンダル６を長期に渡って使用することができるため、とても経済的である。また、可撓性を有する鼻緒２の上面には、その上面を覆う飾り片１が、取付部材４により一体に設けられているため、可撓性のある鼻緒２の強度を増すことができる。それにより、鼻緒２自体の損傷を防ぐことができるとともに、足の甲を保護することもできる。
【００２６】
また、取付部材４は、一対の面ファスナ３で構成されて、鼻緒２の上面には、一方のファスナ片３ａが設けられ、また飾り片１の対向面には、他方のファスナ片３ｂが設けられているため、片手でも簡単に着脱を行うことができるとともに、激しい動作においても飾り片１が、鼻緒２から外れたり、ズレたりすることを防止することができる。
【００２７】
さらに、鼻緒２は、布製の材料で形成されていることにより、鼻緒２に可撓性を持たせることができる。それにより、素足で使用されることの多いビーチサンダルなどは、足の動きに対応して収縮が行われるため、履き心地が良く、長時間使用した場合にも足の痛みを防止することができる。さらに、鼻緒２の上面に、飾り片１を取り付けることにより、鼻緒２を可撓性の材料で形成しても、十分な強度を得ることができる。
【００２８】
そして、飾り片１は、鼻緒２の上面を覆う大きさに一体に形成されていることによって、可撓性を有する鼻緒２の強度を増すことができるとともに、飾り片１を鼻緒２に取り付け、または取り外しを行う際には、簡便に着脱を行うことができる。
【００２９】
また、飾り片１は、その上面に装飾を施すことによって、美観の優れたサンダルを提供するとともに、より多くの人のニーズに応えた飾り片を提供することができる。それにより、一足のサンダルで何通りもの装飾を楽しむことができる。
【００３０】
さらに、飾り片１がＶ字状に形成されて、このＶ字を構成する２辺の長さを同じにすることによって、飾り片１を鼻緒２の上面に取り付ける際には、左右どちらのサンダル６にも取り付けることができる。そのため、例えば複数の飾り片１を購入した場合には、左右のサンダルに異なる飾り片を取り付けるなど、何通りかの組合せを自由に行うことができる。また、飾り片１を製造する際には、左右のサンダル６を考慮することなく、製造することができるので、製造コストも抑えることができる。
【００３１】
そして、サンダル６は、長期間の使用により損傷して使えなくなった場合であっても、本考案のサンダル６を再度購入することにより、古くなったサンダルに使用されていた飾り片１を再利用することができる。そのため、気に入った装飾の飾り片１を長く愛用することができる。
【００３２】
なお、上記実施形態では、取付部材４を一対の面ファスナ３を用いた場合についてのみ説明したが、これに限定されるものではなく、例えば、取付部材４を一対のホック釦にしても対応可能である。また、サンダル６をビーチサンダルを用いた場合についてのみ説明したが、これに限定されるものではなく、例えば、草履など鼻緒２が付いたサンダルにも対応可能である。
【図面の簡単な説明】
【００３３】
さ
【図１】本考案のサンダルの一実施形態を示す斜視図である。
【図２】本考案のサンダルの一実施形態を示す斜視図であり、飾り片を取り付ける方法を示す。
【図３】本考案のサンダルに取り付ける飾り片の一実施形態であり、（ａ）は平面図、（ｂ）は底面図である。
【符号の説明】
【００３４】
１  飾り片
２  鼻緒
３  面ファスナ
３ａ  一方のファスナ片
３ｂ  他方のファスナ片                
４  取付部材
５  台座
６  サンダル
【図１】
0003142493.tif 000003
【図２】
0003142493.tif 000004
【図３】
0003142493.tif 000005